(57)【要約】【課題】２本の棒状光源ランプを使用する照明器具において、その照明効率を向上させること。【解決手段】光を反射させるために内面を鏡面状とした笠状の反射板２と、反射板２の天板部２ｄ近傍に基端部を固定して反射板２内に挿入される２本の棒状光源ランプ１とを有する照明器具１０であって、２本の棒状光源ランプ１は、先端側に向かうにしたがって相互の間隔が狭くなるように配置され、２本の棒状光源ランプ１に挟まれた反射板２の天板部２ｄに、先端側に向けて伸びる反射体３を配置し、２本の棒状光源ランプ１と対向する反射体３の両側面を反射面３ａとした。【選択図】図１
2006059707.tif 000002
【特許請求の範囲】
【請求項１】
光を反射させるために内面を鏡面状とした笠状の反射板と、反射板の天板部近傍に基端部を固定して反射板内に挿入される２本の棒状光源ランプとを有する照明器具であって、
前記２本の棒状光源ランプは、先端側に向かうにしたがって相互の間隔が狭くなるように配置され、
前記２本の棒状光源ランプに挟まれた前記反射板の天板部に、先端側に向けて伸びる反射体を配置し、前記２本の棒状光源ランプと対向する前記反射体の両側面を反射面とした照明器具。
【請求項２】
前記反射体の両側面は、先端側に向かうにしたがって相互の間隔が狭くなるように形成されている請求項１に記載の照明器具。
【請求項３】
前記反射体の先端が前記２本の棒状光源ランプの先端より基端側に位置する請求項１又は２に記載の照明器具。
【発明の詳細な説明】
【技術分野】
【０００１】
本発明は、建屋の天井等に設置されて下方の床面を照明するダウンライトに好適な照明器具に関する。
【背景技術】
【０００２】
光源ランプと光源ランプの光を反射させる反射板とを有する照明器具において、反射板は、照明効率を左右する重要な構成部材である。
【０００３】
本願出願人は、先に特許文献１において、全体形状を笠状の多面体として、かつ、その内面をそれぞれ傾斜角度の異なる上下２段の傾斜部から形成した反射板を提案した。また、特願２００４−１６２２４８において、傾斜部を上下３段以上にすることを提案した。この複数段構造の反射板によって、上下の傾斜部の傾斜角度を調整して光を反射させることにより、広範囲を照明することが可能となった。
【０００４】
しかし、照度を向上させるために２本の棒状光源ランプ（蛍光管ランプ）を使用する場合、２本の棒状光源ランプどうしの間で光が干渉して打ち消し合うため、棒状光源ランプからの光が照明として有効利用されず、照度が不足するとともに、照明領域の平面形状がひょうたん状になるという問題があった。
【特許文献１】特開２００３−１５１３１０号公報
【発明の開示】
【発明が解決しようとする課題】
【０００５】
本発明が解決しようとする課題は、２本の棒状光源ランプを使用する照明器具において、その照明効率を向上させることにある。
【課題を解決するための手段】
【０００６】
本発明は、２本の棒状光源ランプの間に、それぞれの棒状光源ランプからの光を反射させる反射体を配置することによって上記課題を解決した。
【０００７】
すなわち、本発明は、光を反射させるために内面を鏡面状とした笠状の反射板と、反射板の天板部近傍に基端部を固定して反射板内に挿入される２本の棒状光源ランプとを有する照明器具であって、前記２本の棒状光源ランプは、先端側に向かうにしたがって相互の間隔が狭くなるように配置され、前記２本の棒状光源ランプに挟まれた前記反射板の天板部に、先端側に向けて伸びる反射体を配置し、前記２本の棒状光源ランプと対向する前記反射体の両側面を反射面としたものである。
【０００８】
本発明において、反射体の両側面は、先端側に向かうにしたがって相互の間隔が狭くなるように形成することが好ましい。また、反射体の先端は２本の棒状光源ランプの先端より基端側に位置するようにすることが好ましい。
【発明の効果】
【０００９】
本発明によれば、２本の棒状光源ランプの間に配置した反射体により、２本の棒状光源ランプ間の光が反射されるので、２本の棒状光源ランプからの全ての光を照明として利用することができ、照明効率を向上させることができる。具体的には、４本の蛍光管ランプによる照度を２本でまかなえるようになり、大幅に電力使用量を削減できる。また、発熱量が減少して建屋内の空調効率を向上させることができる。
【発明を実施するための最良の形態】
【００１０】
以下、本発明をダウンライトに適用した添付図に示す実施例に基づいて具体的に説明する。
【００１１】
図１は、本発明に係るダウンライトの一実施例を示す断面図、図２は、図１のダウンライトに使用した反射板を示す斜視図である。
【００１２】
図１に示すダウンライト１０は、蛍光管ランプからなる２本の棒状光源ランプ１と、棒状光源ランプ１の光を反射させるための反射板２及び反射体３と、反射板２を固定する本体部４を備える。
【００１３】
２本の棒状光源ランプ１は、その上端部が反射板２の天板部２ｄ近傍に固定され、発光部分は反射板２内に位置している。また、２本の棒状光源ランプ１は、図１に示すように、下方に向かうにしたがって相互の間隔が狭くなるようＶ字状に配置されている。
【００１４】
反射板２は、底面形状（横断面形状）が正１８角形の笠状の１８面体からなり、その内面は、それぞれ傾斜角度の異なる第１傾斜部２ａ、第２傾斜部２ｂ及び第３傾斜部２ｃからなる上下３段の傾斜部から形成されている。反射板２の大きさや各傾斜部２ａ〜２ｃの傾斜角度及び長さは、ダウンライト１０を設置する場所の天井高さや照明範囲などの条件に応じて適宜設定される。
【００１５】
反射板２の素材はアルミニウムであり、その内面の反射面はアルミニウムの表面にチタン・シリコンをコーティングすることによって鏡面状としている。反射板の素材としてはアルミニウムに限られず、例えば金属板を使用して内面を鏡面加工してもよい。なお、図２中の符号２ｅは、２本の棒状光源ランプを挿通するための切欠きである。
【００１６】
反射体３は、２本の棒状光源ランプ１に挟まれた反射板２の天板部２ｄの内面から下方に向けて伸びるように設けられており、２本の棒状光源ランプ１と対向する両側面は反射面３ａとされている。この両側面の反射面３ａ，３ａは、下方に向かうにしたがって相互の間隔が狭くなるようＶ字状に形成されている。また、反射体３の下端は２本の棒状光源ランプ１の下端より上方に位置するように配置されている。
【００１７】
本体部４は、その下端部外周に外方に突出したリング状の支持部材４ａを有しており、この支持部材４ａを天井Ｔの裏面に載置することにより、天井Ｔの裏面にダウンライト１０全体が懸架される。
【００１８】
以上の構成において、２本の棒状光源ランプ１の上端部分から反射板２の中心方向に発する光は、干渉することなく、反射体３の反射面３ａによって反射され、さらに、その反射光が反射板２内面で複数回反射されて床面を照明する。このとき、２本の棒状光源ランプ１及び反射体３の反射面３ａが上述のように垂直ではなく傾斜しているので、光が多方向に反射して照明効率が向上する。また、２本の棒状光源ランプ１の他の部分から発する光も反射板２内面で複数回反射して床面を照明する。
【００１９】
このように、２本の棒状光源ランプ１間に反射体３を設けたので、２本の棒状光源ランプ１の上端部分から反射板２の中心方向に発する光も照明用として有効に利用でき、照明効率が向上する。これによって従来タイプにおける４本の蛍光管ランプによる照度を２本でまかなえるようになった。
【００２０】
なお、上記の実施例では反射体３の反射面３ａを平面としたが曲面としてもよい。また、一枚の波型の板を反射板２の天板部２ｄの内面から下方に向けて伸びるように設け、その波型の両側面を反射面としてもよい。
【産業上の利用可能性】
【００２１】
本発明は、天井に取り付けられるダウンライトとしてだけでなく、壁面、床面に取り付ける照明器具としても利用可能である。
【図面の簡単な説明】
【００２２】
【図１】本発明に係るダウンライトの一実施例を示す断面図である。
【図２】図１のダウンライトに使用した反射板を示す斜視図である。
【符号の説明】
【００２３】
１  棒状光源ランプ
２  反射板
２ａ  第１傾斜部
２ｂ  第２傾斜部
２ｃ  第３傾斜部
２ｄ  天板部
２ｅ  切欠き
３  反射体
３ａ  反射面
４  本体部
４ａ  支持部材
【図１】
2006059707.tif 000003
【図２】
2006059707.tif 000004